(57)【要約】【課題】電線を位置決めする部品が必要がなく、しかも、コネクタハウジングの構成が複雑化しないコネクタ等を提供する。【解決手段】コネクタ１は、複数の電線挿入孔４が設けられたコネクタハウジング２と、コネクタハウジング２の複数の電線挿入孔４の先端より前方に設けられた電線規制壁部５と、コネクタハウジング２の電線規制壁部５と複数の電線挿入孔４の先端との間の位置に設けられた電線折曲室６と、複数の電線挿入孔４に挿入され、各先端部Ｗａが電線折曲スペース６で折り曲げられた複数の電線Ｗとを備えている。【選択図】図２
2019145356.tif 000002
【特許請求の範囲】
【請求項１】
複数の電線挿入孔が設けられたコネクタハウジングと、
前記コネクタハウジングの複数の前記電線挿入孔の先端より前方に設けられた電線規制壁部と、
前記コネクタハウジングの前記電線規制壁部と複数の前記電線挿入孔の先端との間の位置に設けられた電線折曲スペースと、
複数の前記電線挿入孔に挿入され、各先端部が前記電線折曲スペースで折り曲げられた複数の電線とを備えたことを特徴とするコネクタ。
【請求項２】
請求項１記載のコネクタであって、
前記コネクタハウジングの複数の前記電線挿入孔に開口する圧接端子用スリットと、
前記圧接端子用スリットに挿入され、複数の前記電線挿入孔に挿入された複数の前記電線に圧接する圧接端子とを備えたことを特徴とするコネクタ。
【請求項３】
請求項１又は請求項２記載のコネクタであって、
前記電線折曲スペースに挿入され、前記電線規制壁部の内面と前記各電線の折り曲げられた前記先端部との間に差し込まれた電線固定部とを有することを特徴とするコネクタ。
【請求項４】
複数の電線と、複数の前記電線Ｗの端部を収容するコネクタとを備え、
前記コネクタは、複数の電線挿入孔が設けられたコネクタハウジングと、
前記コネクタハウジングの複数の前記電線挿入孔の先端より前方に設けられた電線規制壁部と、
前記コネクタハウジングの前記電線規制壁部と複数の前記電線挿入孔の先端との間の位置に設けられた電線折曲スペースと、
複数の前記電線挿入孔に挿入され、各先端部が前記電線折曲スペースで折り曲げられた複数の電線とを備えたことを特徴とするワイヤーハーネス。
【発明の詳細な説明】
【技術分野】
【０００１】
本発明は、複数の電線の端部を収容するコネクタ、及び、コネクタを用いたワイヤーハーネスに関する。
【背景技術】
【０００２】
この種の従来のコネクタとしては、特許文献１に開示されたものが提案されている。このコネクタはジョイントコネクタである。このジョイントコネクタ５０は、図６及び図７に示すように、コネクタハウジング５１とコネクタハウジング５１に挿入される複数の電線Ｗと、複数の電線Ｗ間を導通させる圧接端子６０とを備えている。
【０００３】
コネクタハウジング５１には、複数の電線挿入孔５２が設けられている。各電線挿入孔５２の先端には壁部５３（図７に示す）が設けられている。コネクタハウジング５１には、複数の電線挿入孔５２に開口する圧接端子用スリット５４が設けられている。コネクタハウジング５１には、各前記電線挿入孔５２に先端が突出する抜け止め板５５（図７に示す）がそれぞれ設けられている。
【０００４】
圧接端子６０には、互いに連結された複数の圧接刃６０ａが設けられている。
【０００５】
次に、コネクタハウジング５１に複数の電線Ｗと圧接端子６０を組付ける手順を説明する。先ず、複数の電線挿入孔５２に複数の電線Ｗを壁部５３に突き当たるまで挿入する。すると、電線挿入孔５２に挿入された各電線Ｗには、抜け止め板５５が食い込む。これにより、電線挿入孔５２内に挿入された各電線Ｗが位置決めされる。次に、圧接端子６０を電線挿入孔５２に挿入し、圧接刃６０ａを電線Ｗに食い込ませる。これにより、各圧接刃６０ａが食い込んだ電線Ｗ同士が電気的に接続される。
【先行技術文献】
【特許文献】
【０００６】
【特許文献１】特開平１０−５０３６０号公報
【発明の概要】
【発明が解決しようとする課題】
【０００７】
しかしながら、前記従来のジョイントコネクタ５０では、コネクタハウジング５１内に挿入された各電線Ｗの位置決めを抜け止め板５５によって行うため、コネクタハウジング５１に抜け止め板５５を設ける必要がある。抜け止め板５５は、コネクタハウジング５１と一体に形成することができず、しかも、その先端部が電線挿入孔５２に突出するよう設ける必要がある。つまり、コネクタハウジング５１の他に電線Ｗを位置決めする部品（抜け止め板５５）が必要であり、コネクタハウジング５１の構成も複雑になるという問題がある。
【０００８】
そこで、本発明は、前記した課題を解決すべくなされたものであり、電線を位置決めする部品が必要がなく、しかも、コネクタハウジングの構成が複雑化しないコネクタ、及び、コネクタを用いたワイヤーハーネスを提供することを目的とする。
【課題を解決するための手段】
【０００９】
本発明のコネクタは、複数の電線挿入孔が設けられたコネクタハウジングと、前記コネクタハウジングの複数の前記電線挿入孔の先端より前方に設けられた電線規制壁部と、前記コネクタハウジングの前記電線規制壁部と複数の前記電線挿入孔の先端との間の位置に設けられた電線折曲スペースと、複数の前記電線挿入孔に挿入され、各先端部が前記電線折曲スペースで折り曲げられた複数の電線とを備えている。
【００１０】
本発明のワイヤーハーネスは、複数の電線と、複数の前記電線の端部を収容するコネクタとを備え、コネクタは、複数の電線挿入孔が設けられたコネクタハウジングと、前記コネクタハウジングの複数の前記電線挿入孔の先端より前方に設けられた電線規制壁部と、前記コネクタハウジングの前記電線規制壁部と複数の前記電線挿入孔の先端との間の位置に設けられた電線折曲スペースと、複数の前記電線挿入孔に挿入され、各先端部が前記電線折曲スペースで折り曲げられた複数の電線とを備えている。
【発明の効果】
【００１１】
本発明によれば、電線の先端部を折り曲げることにより電線を位置決めするため、電線位置決め部品が必要がない。コネクタハウジングには、電線規制壁部を設け、且つ、電線規制壁部と電線挿入孔の先端の間に電線折曲スペースを設ければ良いため、電線位置決め部品をコネクタハウジングに付設する必要がないことも相俟って、コネクタハウジングの構成が複雑化することもない。
【図面の簡単な説明】
【００１２】
【図１】本発明の一実施形態を示し、電線挿入前のジョイントコネクタの斜視図である。
【図２】本発明の一実施形態を示し、図１のＡ−Ａ線に沿う、ジョイントコネクタの組付け後の断面図である。
【図３】本発明の一実施形態を示し、電線挿入孔に電線を挿入した状態を示すジョイントコネクタの断面図である。
【図４】本発明の一実施形態を示し、電線の先端部を折り曲げた状態を示すジョイントコネクタの断面図である。
【図５】本発明の一実施形態を示し、電線固定部を電線折曲室に挿入した状態を示すジョイントコネクタの断面図である。
【図６】従来例を示し、電線挿入前のジョイントコネクタの斜視図である。
【図７】従来例を示し、ジョイントコネクタの組付け後の断面図である。
【発明を実施するための形態】
【００１３】
以下、本発明の一実施形態を図面に基づいて説明する。
【００１４】
ワイヤーハーネスは、電線束と、電線束の複数の電線Ｗの端部を収容し、その端部をジョイント接続するジョイントコネクタ（コネクタ）１とを備えている。以下、ジョイントコネクタ１の構成を説明する。
【００１５】
ジョイントコネクタ１は、図１及び図２に示すように、コネクタハウジング２と、コネクタハウジング２に挿入された複数の電線Ｗ間を導通させる圧接端子１０とを備えている。
【００１６】
コネクタハウジング２には、複数の電線挿入孔４が間隔をあけて並んで設けられている。各電線挿入孔４は、電線Ｗの径より若干だけ大きく形成された円周面より形成されている。
【００１７】
コネクタハウジング２には、複数の電線挿入孔４の先端開口より前方に電線規制壁部５が設けられている。
【００１８】
コネクタハウジング２には、コネクタハウジング２の電線規制壁部５と複数の電線挿入孔４の先端との間の位置に電線折曲スペースである電線折曲室６が設けられている。電線折曲室６は、複数の電線挿入孔４の先端より下方に延びる垂直壁部７と、垂直壁部７の下端より前方に延びる底壁部８と、底壁部８より上方に延びる電線規制壁部５と、コネクタハウジング２の側面より前方に延設された一対の延長側壁部３（図１に示す）とに囲まれて形成されている。電線折曲室６の上面は、外部に開口している。
【００１９】
電線規制壁部５の上端には、ヒンジ部５ａを介して電線固定部１１が連結されている。電線固定部１１は、ヒンジ部５ａを屈曲させることで電線折曲室６に挿入できる。
【００２０】
コネクタハウジング２には、各電線挿入孔４の軸方向に対して直交方向に配置された圧接端子用スリット９が設けられている。圧接端子用スリット９は、各電線挿入孔４の上面と下面に開口を有し、各電線挿入孔４を貫通している。
【００２１】
各電線Ｗは、円柱状であり、導体（図示せず）と導体の外周を被う絶縁被覆部（符号を付さず）より形成されている。導体は、複数の縒り素線を圧縮した圧縮導体である。
【００２２】
圧接端子１０は、複数の電線挿入孔４の間隔で配置された複数の圧接刃（符号を付さず）を有する。
【００２３】
次に、ジョイントコネクタ１を製造する際の一工程である、コネクタハウジング２に電線Ｗ及び圧接端子１０を組付ける工程について説明する。図１に示すように、圧接端子１０は、圧接端子用スリット９に半挿入（各電線挿入孔４に達しない位置まで挿入）され、電線固定部１１は電線折曲室６より外部に配置されている。
【００２４】
先ず、図３に示すように、１本の電線Ｗを電線挿入孔４に挿入する。挿入は、電線Ｗの先端が電線規制壁部５に突き当たる位置まで行う。次に、図４に示すように、電線Ｗの先端部Ｗａを電線折曲室６で折り曲げる。電線Ｗの先端部Ｗａが垂直壁部７に沿う形態になるまで折り曲げる。電線Ｗは、塑性変形によって折り曲がる。これにより、電線Ｗは、電線挿入孔４の引き抜き方向からの外力が受けても折れ曲がった先端部Ｗａで当該外力に抗するため、電線挿入孔４内の位置を維持する。つまり、電線Ｗは、折れ曲がった先端部Ｗａによって電線挿入孔４内から抜け出るのを防止される。
【００２５】
２本目以降の電線Ｗに対して、上記した電線Ｗの電線挿入孔４への挿入及び電線Ｗの先端部Ｗａの折り曲げ作業を順次繰り返し行う。
【００２６】
所定本数の電線Ｗについて上記作業が終わると、図５に示すように、電線折曲室６に電線固定部１１を挿入し、電線固定部１１を電線規制壁部５の内面と各電線Ｗの折り曲げられた先端部Ｗａとの間に差し込む。各電線Ｗは、先端部Ｗａが電線固定部１１と垂直壁部７の間に挟持される。これで、各電線Ｗは、電線挿入孔４の引き抜き方向からの強い外力を受けても、折曲がった先端部Ｗａが直線状に戻ることができないため、各電線Ｗが強固に位置決めされる。
【００２７】
次に、圧接端子用スリット９に半挿入された圧接端子１０を複数の電線挿入孔４に挿入する。圧接端子１０は、電線挿入孔４を完全に貫通する位置まで挿入する。圧接端子１０の各圧接刃が各電線Ｗの導体（図示せず）に圧接し、複数の電線Ｗが圧接端子１０を介して導通する。これで、図２に示すジョイントコネクタ１が完了する。
【００２８】
以上説明したように、ジョイントコネクタ１及びこのジョイントコネクタ１を用いたワイヤーハーネスは、複数の電線挿入孔４が設けられたコネクタハウジング２と、コネクタハウジング２の複数の電線挿入孔４の先端より前方に設けられた電線規制壁部５と、コネクタハウジング２の電線規制壁部５と複数の電線挿入孔４の先端との間の位置に設けられた電線折曲室６と、複数の電線挿入孔４に挿入され、各先端部Ｗａが電線折曲室６で折り曲げられた複数の電線Ｗとを備えている。
【００２９】
従って、電線Ｗの先端部Ｗａを折り曲げることにより電線Ｗを位置決めできるため、電線位置決め部品が必要がない。コネクタハウジング２には、電線規制壁部５を設け、且つ、電線規制壁部５と電線挿入孔４の先端の間に電線折曲室６を設ければ良いため、電線位置決め部品をコネクタハウジング２に付設する必要がないことも相俟って、コネクタハウジング２の構成が複雑化することもない。又、電線Ｗの電線挿入孔４への挿入は、先端が電線Ｗ規制壁に突き当たる位置となるため、全ての電線Ｗの挿入寸法が揃い、電線Ｗの挿入長さのばらつきが抑えられる。
【００３０】
上記の効果は、後工程の端子の後嵌め工程でより一層発揮される。つまり、ジョイントコネクタ１には、端子付きの電線Ｗを用いるものがあるが、端子付きの電線Ｗは、ワイヤーハーネスの作製時の取り回しの際に、端子自体の変形、端子による電線Ｗ等の損傷等に注意を払いつつ行う必要があり、面倒である。これに対し、本実施形態のジョイントコネクタ１は、端子なしの電線Ｗを用いるためにワイヤーハーネスの作製時の取り回しが容易である。
【００３１】
ジョイントコネクタ１は、コネクタハウジング２の複数の電線挿入孔４を貫通する圧接端子用スリット９と、圧接端子用スリット９に挿入され、複数の電線挿入孔４に挿入された複数の電線Ｗに圧接する圧接端子１０とを備えている。従って、複数の電線Ｗを圧接端子１０の挿入で一度に接続できる。
【００３２】
この実施形態では、電線固定部１１は、ヒンジ部５ａを介してコネクタハウジング２に連結されているため、電線固定作業が容易である。電線固定部１１は、コネクタハウジング２と別体であっても良い。
【００３３】
この実施形態では、電線折曲室６を形成する垂直壁部７と底壁部８と電線規制壁部５と一対の延長側壁部３（図１に示す）は、コネクタハウジング２と一体であるが、コネクタハウジング２と別体であっても良い。
【００３４】
この実施形態では、コネクタは、ジョイントコネクタ１であるが、本発明は、複数の電線Ｗ間を電気的に接続（ジョイント）せずに、相手側コネクタの相手側電線との間で電気的に電線を接続するコネクタにも適用できる。
【００３５】
この実施形態では、電線Ｗは、圧縮電線であるが、これに限定されない。
【符号の説明】
【００３６】
１  ジョイントコネクタ（コネクタ）
２  コネクタハウジング
４  電線挿入孔
５  電線規制壁部
６  電線折曲室（電線折曲スペース）
１０   圧接端子
１１  電線固定部
Ｗ  電線
Ｗａ  先端部
【図１】
2019145356.tif 000003
【図２】
2019145356.tif 000004
【図３】
2019145356.tif 000005
【図４】
2019145356.tif 000006
【図５】
2019145356.tif 000007
【図６】
2019145356.tif 000008
【図７】
2019145356.tif 000009